(57)【特許請求の範囲】
【請求項１】
時分割多元接続方式を採用したセルラ移動通信システムで使用される移動通信端末装置において、
切替元の基地局との間の通信を中断した状態で、切替先の基地局を選択して当該基地局との間で所定の接続制御手順を実行したのち接続先の基地局を切り替える第１のハンドオーバを実行する第１のハンドオーバ制御手段と、
切替元の基地局との間の通信を維持した状態で、自装置に割り当てられたスロット以外の期間を使用して、少なくとも切替先の基地局を選択する動作を含む接続制御手順を実行したのち、接続先の基地局を切り替える第２のハンドオーバを実行する第２のハンドオーバ制御手段と、
接続先の基地局から到来する無線信号の受信品質を検出する受信品質検出手段と、
接続先の基地局を切り替える場合に、前記受信品質検出手段の検出結果に基づいて前記第１のハンドオーバと前記第２のハンドオーバとを選択的に実行させるハンドオーバ選択手段とを具備したことを特徴とする移動通信端末装置。
【請求項２】
前記ハンドオーバ選択手段は、
第１の受信品質判定レベルと、この第１の受信品質判定レベルよりも高く設定した第２の受信品質判定レベルとを有し、
前記受信品質検出手段により検出された受信品質が前記第１の受信品質判定レベル以上でかつ前記第２の受信品質判定レベルより低い状態では前記第２のハンドオーバを選択し実行させ、前記受信品質検出手段により検出された受信品質が前記第１の受信品質判定レベル未満の場合には前記第１のハンドオーバを選択し実行させることを特徴とする請求項１記載の移動通信端末装置。
【請求項３】
前記受信品質検出手段が、切替元の基地局から到来する無線信号の受信電界強度を検出する機能を有する場合に、
前記ハンドオーバ選択手段は、
受信電界強度を判定するためのしきい値として、第１のしきい値と、この第１のしきい値よりも高く設定した第２のしきい値とを有し、
前記受信品質検出手段により検出された受信電界強度が前記第１のしきい値以上でかつ前記第２のしきい値未満の状態では前記第２のハンドオーバを選択し実行させ、検出された受信電界強度が前記第１のしきい値未満の状態では先ず前記第２のハンドオーバを選択し実行させ当該第２のハンドオーバが失敗した場合には引き続き前記第１のハンドオーバを選択し実行させることを特徴とする請求項１記載の移動通信端末装置。
【請求項４】
前記受信品質検出手段が、切替元の基地局から到来する無線信号の受信誤り率を検出する機能を有する場合に、
前記ハンドオーバ選択手段は、
受信誤り率を判定するためのしきい値として、第３のしきい値と、この第３のしきい値よりも低く設定した第４のしきい値とを有し、
前記受信品質検出手段により検出された受信誤り率が前記第４のしきい値以上でかつ前記第３のしきい値未満の状態では前記第２のハンドオーバを選択実行させ、
検出された受信誤り率が前記第３のしきい値以上の状態では前記第１のハンドオーバを選択実行させることを特徴とする請求項１記載の移動通信端末装置。
【請求項５】
前記受信品質検出手段が、切替元の基地局から到来する無線信号の受信電界強度及び受信誤り率をそれぞれ検出する機能を有する場合に、
前記ハンドオーバ選択手段は、
受信電界強度を判定するためのしきい値として、第１のしきい値と、この第１のしきい値よりも高く設定した第２のしきい値とを有すると共に、受信誤り率を判定するためのしきい値として、第３のしきい値と、この第３のしきい値よりも低く設定した第４のしきい値とを有し、
前記受信品質検出手段により得られた受信誤り率の検出値が前記第３のしきい値以上の状態では、受信電界強度の検出値に拘わらず前記第１のハンドオーバ選択し実行させ、
前記受信品質検出手段により得られた受信誤り率の検出値が前記第４のしきい値以上で前記第３のしきい値未満の状態にありかつ受信電界強度の検出値が第２のしきい値未満の状態、及び受信誤り率の検出値が前記第４のしきい値未満でかつ受信電界強度の検出値が前記第１のしきい値未満の状態では、前記第２のハンドオーバを選択し実行させて当該第２のハンドオーバが失敗した場合に前記第１のハンドオーバを選択し実行させ、
前記受信誤り率の検出値が前記第４のしきい値未満でかつ前記受信電界強度の検出値が前記第１のしきい値以上で第２のしきい値未満の状態では、前記第２のハンドオーバを選択し実行させて当該第２のハンドオーバが失敗した場合にはハンドオーバを中止することを特徴とする請求項１記載の移動通信端末装置。
【請求項６】
前記受信品質検出手段が、切替元の基地局から到来する無線信号の受信電界強度及び受信誤り率をそれぞれ検出する機能を有する場合に、
前記ハンドオーバ選択手段は、
受信電界強度を判定するためのしきい値として、第１のしきい値と、この第１のしきい値よりも高く設定した第２のしきい値とを有すると共に、受信誤り率を判定するためのしきい値として、第３のしきい値と、この第３のしきい値よりも低く設定した第４のしきい値とを有し、
前記受信品質検出手段により得られた受信誤り率の検出値が前記第３のしきい値以上の状態では、受信電界強度の検出値に拘わらず前記第１のハンドオーバを選択し実行させ、
前記受信品質検出手段により得られた受信誤り率の検出値が前記第３のしきい値未満でかつ受信電界強度の検出値が前記第１のしきい値未満の状態では、前記第２のハンドオーバを選択し実行させて当該第２のハンドオーバが失敗した場合に前記第１のハンドオーバを選択実行させ、
前記受信品質検出手段により検出された受信誤り率の検出値が前記第４のしきい値未満でかつ受信電界強度の検出値が前記第１のしきい値以上で第２のしきい値未満の状態では、前記第２のハンドオーバを選択し実行させて当該第２のハンドオーバが失敗した場合にはハンドオーバを中止することを特徴とする請求項１記載の移動通信端末装置。
【請求項７】
前記受信品質検出手段により検出された受信誤り率が前記第４のしきい値以上で前記第３のしきい値未満の状態にありかつ受信電界強度が第２のしきい値以上の状態にある場合には、ハンドオーバを起動せずに、通信チャネルを接続中の基地局が保有する他の通信チャネルに切り替える制御を実行する通信チャネル切替制御手段を、さらに備えたことを特徴とする請求項５又は６記載の移動通信端末装置。
【請求項８】
時分割多元接続方式を採用したセルラ移動通信システムで使用され、接続先の基地局を切り替える場合に、切替元の基地局との間の通信を維持した状態で、自装置に割り当てられたスロット以外の期間を使用して、少なくとも切替先の基地局を選択する動作を含む接続制御手順を実行したのち、接続先の基地局を切り替えるハンドオーバ機能を備えた移動通信端末装置において、
前記ハンドオーバ機能の実行中に、切替先の基地局から割当てられた通信チャネルが切替元の基地局との間で使用中の通信チャネルと同一スロットだった場合に、前記切替元の基地局との間の通信を中断して前記切替先の基地局から割当てられた通信チャネルを使用して前記接続制御手順を実行する第１の接続制御手段と、
前記ハンドオーバ機能の実行中に、切替先の基地局から割当てられた通信チャネルが切替元の基地局との間で使用中の通信チャネルと同一スロットだった場合に、前記切替元の基地局との間の通信を維持した状態で前記切替先の基地局に対し通信チャネルの再割当てを要求し、この要求に対し切替先の基地局から異なるスロットを使用する通信チャネルが割当てられた場合に当該通信チャネルを使用して前記接続制御手順を実行する第２の接続制御手段と、
切替元の基地局から到来する無線信号の受信品質を検出する受信品質検出手段と、
前記接続制御手順を実行する際に、前記受信品質検出手段の検出結果に基づいて前記第１の接続制御手段と第２の接続制御手段とを選択的に実行させる選択手段とを具備したことを特徴とする移動通信端末装置。
【請求項９】
前記第２の接続制御手段は、通信チャネルの再割当ての要求を、切替先の基地局から異なるスロットを使用する通信チャネルが割当てられるまで、予め決められた回数を上限として繰り返すことを特徴とする請求項９記載の移動通信端末装置。
【請求項１０】
前記第２の接続制御手段は、通信チャネルの再割当ての要求を繰り返す際に、前記受信品質検出手段により検出された受信品質が所定レベル以上を維持しているか否かを判定し、受信品質が所定レベル以上を維持している場合に通信チャネルの再割当ての要求を繰り返し、維持していない場合には前記第１の制御手段を実行させることを特徴とする請求項１０記載の移動通信端末装置。
【請求項１１】
前記第１のハンドオーバ制御手段が、第１の受信品質判定レベル以上でかつ前記第２の受信品質判定レベルより相対的に低く設定された第１の基地局選択レベルを有する場合に、
前記第２のハンドオーバ制御手段は、前記第２の受信品質判定レベルより高く設定された第２の基地局選択レベルを備え、受信品質がこの第２の基地局選択レベルを超える基地局を切替先の基地局として選択することを特徴とする請求項２記載の移動通信端末装置。
【発明の詳細な説明】
【０００１】
【発明の属する技術分野】
この発明は、例えばＰＤＣ（Personal Digital Cellular）やＰＨＳ（Personal Handyphone System）のように無線アクセス方式として時分割多元接続（ＴＤＭＡ；Time Division Multiple Access）方式を採用したセルラ移動通信システムで使用される移動通信端末装置に係わり、特にシームレスハンドオーバ機能を備えた移動通信端末装置に関する。
【０００２】
【従来の技術】
一般にセルラ移動通信システムは、サービスエリアに多数の基地局を分散配置してこれらの基地局によりセルをそれぞれ形成し、移動通信端末装置を当該移動通信端末装置が存在するセルの基地局に無線チャネルを介して接続することにより無線通信を可能にしている。また、移動通信端末装置が通信中に他のセルへ移動した場合には、ハンドオーバを行うことにより通信を継続できるようにしている。
【０００３】
ハンドオーバは、例えば移動通信端末装置が通信中に基地局から到来する無線信号の受信品質を監視し、受信品質が所定レベル以下に劣化すると、基地局との間の通信を中断する。この状態で、周辺のすべての基地局を検索して受信電界強度の最も大きい電波を送信している基地局を切替先として選択し、この選択した基地局に対しリンクチャネル確立要求を送信する。そして、この要求を受信した基地局が要求元の移動通信端末装置に対しリンクチャネルの割り当てを行って、この割り当てられたリンクチャネルを使用して移動通信端末装置と切替先の基地局との間に新たな無線リンクを形成し、以後移動通信端末装置と切替先の基地局との間で所定の接続切替手順を行った上で接続先の基地局を切り替えるように手順が設定されている。
【０００４】
この従来用いられている通常のハンドオーバ手順は、切替元の基地局との間の通信を中断して周辺のより多くの基地局の中から切替先として最適な基地局を選択することができるので、高い確率でハンドオーバを完了することができる。しかし、その反面ハンドオーバ期間中に比較的長時間に亘り通信が中断されるため、通信品質の劣化を生じると云う問題点を有する。
【０００５】
一方、最近になり、シームレスハンドオーバと呼ばれる新たなハンドオーバ手順が提唱されている。シームレスハンドオーバは、切替元の基地局との間の通信を維持した状態で、アイドルスロット期間を使用して切替先の基地局を選択する。そして、この切替先の基地局との間でリンクチャネルの確立手順及び接続制御手順を実行したのち、接続先をこの新たな基地局を切り替えるものである。
【０００６】
このシームレスハンドオーバは、ハンドオーバ期間中に切替元の基地局との間の通信が維持されるため通信品質を高く保つことができる。しかし、その反面切替先として選択対象となる基地局がアイドルスロット期間に制御信号を送信している基地局に限られるため、切替先として適切な基地局を選択できずにハンドオーバを失敗する確率が、先に述べた通常のハンドオーバに比べ高い。
【０００７】
【発明が解決しようとする課題】
以上述べたように従来使用されている通常のハンドオーバ及び新たなシームレスハンドオーバはいずれも一長一短がある。
【０００８】
この発明は上記事情に着目してなされたもので、その第１の目的は、通常のハンドオーバとシームレスハンドオーバとを効果的に使い分けることができるようにし、これにより通信品質の向上とハンドオーバ成功確率の増加との両立を図った移動通信端末装置を提供することである。
【０００９】
また第２の目的は、シームレスハンドオーバの実行中に切替先の基地局から切替元の基地局との間で使用中の通信チャネルと同一スロットを使用する通信チャネルが割り当てられた場合に、その時の受信品質に応じて最適な無線接続手順を選択し実行できるようにし、これにより通信品質の維持とハンドオーバの成功の両立を図った移動通信端末装置を提供することである。
【００１０】
さらに第３の目的は、シームレスハンドオーバにおいて、常に切替元の基地局よりも受信品質が良好な基地局を選択できる移動通信端末装置を提供することである。
【００１１】
【課題を解決するための手段】
上記第１の目的を達成するために第１の発明は、ハンドオーバ手順として、切替元の基地局との間の通信を中断した状態で切替先の基地局を選択して当該基地局との間で所定の接続制御手順を実行したのち接続先の基地局を切り替える第１のハンドオーバ制御手段と、切替元の基地局との間の通信を維持した状態で、自端末に割り当てられるスロット以外の期間を使用して、少なくとも切替先の基地局を選択する動作を含む接続制御手順を実行したのち、接続先の基地局を切り替える第２のハンドオーバ制御手段とを備えた移動通信端末装置にあって、
接続先の基地局から到来する無線信号の受信品質を検出する受信品質検出手段と、ハンドオーバ選択手段とを備える。そして、接続先の基地局をハンドオーバにより切り替える場合に、上記ハンドオーバ選択手段により、上記受信品質検出手段で検出された受信品質に基づいて、上記第１のハンドオーバと上記第２のハンドオーバとを選択的に実行させるようにしたものである。
【００１２】
具体的には、第１の受信品質判定レベルと、この第１の受信品質判定レベルよりも高く設定した第２の受信品質判定レベルとを設定し、受信品質の検出値が上記第１の受信品質判定レベル以上でかつ上記第２の受信品質判定レベルより低い状態では上記第２のハンドオーバを主として選択し実行させ、受信品質の検出値が上記第１の受信品質判定レベル未満の場合には上記第１のハンドオーバを主として選択し実行させる。
【００１３】
したがってこの発明によれば、次のような作用効果が呈せられる。すなわち、第１のハンドオーバは、切替元の基地局との間の通信を中断してすべての基地局の中から切替先の基地局を選択するため、切替先として適切な基地局を選択できる確率が高くなるが、その反面通信が中断されることにより通信品質の劣化を生じる。これに対し第２のハンドオーバは、ハンドオーバ期間中切替元の基地局との間の通信を維持するため通信品質を高く保つことができるが、失敗する可能性もある。
【００１４】
したがって、本発明のように切替元基地局から到来する無線信号の受信品質に応じて上記第１及び第２のハンドオーバを選択して実行すれば、例えば受信品質が比較的良好なときには通信品質を優先して第２のハンドオーバが行われるためハンドオーバ期間の大半で比較的良好な通信を維持でき、しかもたとえ切替先として適切な基地局が見付からなくてもそのまま切替元の基地局との間で通信を継続することでハンドオーバの失敗になり難い。
これに対し受信品質が劣化したときには、ハンドオーバを成功させることを優先して第１のハンドオーバが行われるため、通信の中断時間は長くなるものの、より多くの周辺基地局の中から切替先として適切な基地局を選択できるため、高い確率でハンドオーバを成功させることができる。  
すなわち、通信品質の向上とハンドオーバが成功する確率の向上との両立を図ることができる。
また、第２のハンドオーバを起動するための第２の受信品質判定レベルを、第１のハンドオーバを起動するための第１の受信品質判定レベルよりも高く設定したことによって、切替元の基地局との間の通信品質がある程度確保されている状態で第２のハンドオーバが実行されることになり、この結果第２のハンドオーバを効果的に使用することができる。
【００１７】
さらに具体的な構成としては、受信品質として受信電界強度を用い、この受信電界強度を複数のしきい値で判定することで第１のハンドオーバと第２のハンドオーバを選択するものと、受信品質として受信誤り率を用いて、この受信誤り率を複数のしきい値で判定することで第１のハンドオーバと第２のハンドオーバを選択するものと、受信品質として受信電界強度及び受信誤り率を組み合わせ、受信電界強度及び受信誤り率をそれぞれ複数のしきい値で判定することで第１のハンドオーバと第２のハンドオーバを選択するものとが考えられる。
【００１８】
このうち、受信電界強度及び受信誤り率を組み合わせてハンドオーバの種類を選択するものでは、次のような具体的な構成が考えられる。例えば、受信電界強度が比較的高くかつ受信誤り率も比較的良好なときには、通信品質にはまだ余裕があるので第２のハンドオーバを試行し、これにより切替先として適切な基地局が見付からなかった場合にはハンドオーバを中止してそのまま切替元の基地局との間で通信を続ける。
【００１９】
これに対し、受信電界強度が低下するか又は受信電界強度が比較的高くても受信誤り率が劣化したときには、先ず通話品質を重視して第２のハンドオーバを実行し、これにより切替先として適切な基地局が見付からなかった場合に、切替先を確実に見付けるために第１のハンドオーバを実行する。
【００２０】
また、受信電界強度が高くても受信誤り率が劣化している状態では、他のＰＨＳ端末等との混信が原因である可能性が高いので、いずれのハンドオーバ手順も選択せずに接続中の基地局が保有する他の通信チャネルに切り替える制御を実行する。
【００２１】
以上のように構成すると、そのときの無線環境の状態において最適なハンドオーバ手順を選択し実行することが可能となる。
【００２２】
一方、前記第２の目的を達成するためにこの発明は、いわゆるシームレスハンドオーバ手順を備えた移動通信端末装置にあって、
切替先の基地局から切替元の基地局との間で使用している通信チャネルと同一スロットを使用する通信チャネルが割り当てられた場合に実行する接続制御手段として、切替元の基地局との間の通信を中断して上記切替先の基地局から割当てられた通信チャネルを使用して上記接続制御手順を実行する第１の接続制御手段と、切替元の基地局との間の通信を維持した状態で上記切替先の基地局に対し通信チャネルの再割当てを要求し、この要求に対し切替先の基地局から異なるスロットを使用する通信チャネルが割当てられた場合に当該通信チャネルを使用して上記接続制御手順を実行する第２の接続制御手段とを備えている。
【００２３】
そして、上記接続制御手順を実行する際に、切替元の基地局から到来する無線信号の受信品質の検出結果に基づいて、上記第１の制御手段と第２の制御手段とを選択的に実行させるようにしたものである。
【００２４】
従ってこの発明によれば、シームレスハンドオーバにおいて、切替先の基地局から割り当てられた通信チャネルが切替元の基地局との間で使用している通信チャネルと同一スロットを使用するものだった場合、切替元基地局からの無線受信品質が劣化しているときには、切替元の基地局との間の通信が中断されて、上記切替先の基地局から割り当てられた通信チャネルによる無線リンクが形成される。このため、速く確実にハンドオーバを完了することができる。
【００２５】
これに対し切替元基地局からの受信品質が比較的良好なときには、切替先の基地局に対し移動通信端末装置から通信チャネルの再割当てが要求され、切替先の基地局から他のスロットを使用する通信チャネルが割り当てられるのを待つ。このため、ハンドオーバ期間中に切替元基地局との間の通信が中断することはなく、この結果通信品質が高品質に保持される。
【００２６】
上記第２の接続制御手段による通信チャネルの再割当ての要求は、切替先の基地局から異なるスロットを使用する通信チャネルが割当てられるまで、予め決められた回数を上限として繰り返すように構成するとよい。このようにすると、通信チャネルの再割当て要求が際限なく繰り返される不具合は防止される。
【００２７】
また、上記第２の接続制御手段において、通信チャネルの再割当て要求を繰り返す際に、受信品質検出手段により検出された受信品質が所定レベル以上を維持しているか否かを判定し、受信品質が所定レベル以上を維持している場合に通信チャネルの再割当て要求を繰り返し、維持していない場合には第１の接続制御手段を実行させるように構成するとよい。
【００２８】
このように構成すると、第２の接続制御手段の実行中に切替元基地局からの受信品質が劣化した場合には、切替先の基地局に対する通信チャネルの再割当て要求が行われずに、割り当てられた通信チャネルにより無線リンクが確立される。このため、接続制御中に切替元の基地局との間が通信不能に陥る前にハンドオーバを完了することが可能となり、これによりハンドオーバの信頼性を高く保持することができる。
【００２９】
さらに上記第３の目的を達成するために第３の発明は、上記第１のハンドオーバ制御手段が、第１の受信品質判定レベル以上でかつ上記第２の受信品質判定レベルより低く設定された第１の基地局選択レベルを有する場合に、
上記第２のハンドオーバ制御手段において、上記第２の受信品質判定レベル以上に設定された第２の基地局選択レベルを備え、受信品質がこの第２の基地局選択レベルを超える基地局を切替先の基地局として選択するようにしたものである。
【００３０】
したがって第３の発明によれば、第２のハンドオーバにおいて、切替元の基地局よりも受信品質が劣化した基地局が切替先として選択される不具合は防止され、これにより常に受信品質の良好な基地局に対しハンドオーバをすることが可能となる。
【００３１】
ちなみに、第２のハンドオーバの基地局選択レベルを第１のハンドオーバの基地局選択レベルと共通に設定したとすると、第１の基地局選択レベルが第２のハンドオーバ起動用の受信品質判定レベルより低い場合には、切替元の基地局よりも受信品質が劣化した基地局が切替先として選択される可能性がある。
【００３２】
【発明の実施の形態】
（第１の実施形態）
図１は、この発明に係わる移動通信端末装置の第１の実施形態であるＰＨＳ端末の構成を示す回路ブロック図である。
【００３３】
ＰＨＳ端末（ＰＳ）は、アンテナ１１を備えた無線部１と、モデム部２と、ＴＤＭＡ部３と、通話部４と、制御部５と、情報記憶部６と、データ通信部７と、キーパッドを備えた入力部８と、液晶表示器（ＬＣＤ）を使用した表示部９とを備えている。
【００３４】
すなわち、図示しない基地局（ＣＳ）から到来した無線搬送波信号は、アンテナ１１で受信されたのち無線部１の高周波スイッチ（ＳＷ）１２を介して受信部１３に入力される。この受信部１３では、上記受信された無線搬送波信号が周波数シンセサイザ１４から発生された局部発振信号とミキシングされて受信中間周波信号にダウンコンバートされる。なお、上記周波数シンセサイザ１４から発生される局部発振信号の周波数は、制御部５の指示により無線チャネル周波数に対応する値に設定される。また、無線部１には受信電界強度検出部１６が設けられている。この受信電界強度検出部１６では、通信中の基地局又は周辺の基地局から到来した無線搬送波信号の受信電界強度（ＲＳＳＩ）が検出され、その検出値は例えば受信品質の判定及び表示を行うために制御部５に通知される。
【００３５】
上記受信部１３から出力された受信中間周波信号は、モデム部２の復調部２１に入力される。復調部２１では上記受信中間周波信号のディジタル復調が行なわれ、これによりディジタル復調信号が再生される。
【００３６】
ＴＤＭＡ部３のＴＤＭＡデコード部３１は、上記ディジタル復調信号を各受信タイムスロットごとに分離する。そして、分離したスロットのデータが音声データであればこの音声データをインタフェース部４に入力する。一方、分離したスロットのデータがパケットデータや制御データであれば、これらのデータをデータ通信部７に入力する。
【００３７】
通話部４は、ＡＤＰＣＭ（Adaptive Differential Pulse Code Modulation）トランスコーダ４１と、ＰＣＭコーデック４２と、スピーカ４３と、マイクロホン４４とを備えている。ＡＤＰＣＭトランスコーダ４１は、上記ＴＤＭＡデコード部３１から出力された音声データを復号する。ＰＣＭコーデック４２は、上記ＡＤＰＣＭトランスコーダ４１から出力されたディジタル音声信号をアナログ信号に変換し、この音声信号をスピーカ４３から拡声出力する。
【００３８】
データ通信部７は、上記ＴＤＭＡデコード部３１から供給されたデータを受信し、このデータを制御部５に供給する。制御部５は受信データが制御データであればこの制御データを解析して必要な制御を行う。これに対し受信データがサーバ等から到来したパケットデータであれば、このパケットデータをデパケットしたのち情報記憶部６に記憶すると共に、表示部９に供給して表示させる。
【００３９】
一方、マイクロホン４４に入力されたユーザの音声信号は、ＰＣＭコーデック４２でＰＣＭ符号化されたのちＡＤＰＣＭトランスコーダ４１でさらに圧縮符号化される。そして、この符号化音声データはＴＤＭＡエンコード部３２に入力される。また制御部５から出力された制御データやパケットデータは、データ通信部７を経て上記ＴＤＭＡエンコード部３２に入力される。
【００４０】
ＴＤＭＡエンコード部３２は、上記ＡＤＰＣＭトランスコーダ４１から出力されたディジタル音声データ、及びデータ通信部７から出力された制御データやパケットデータを、制御部５から指示された送信タイムスロットに挿入して多重化する。変調部２２は、上記ＴＤＭＡエンコード部３２から出力された多重化ディジタル通信信号により送信中間周波信号をディジタル変調し、この変調した送信中間周波信号を送信部１５に入力する。
【００４１】
送信部１５は、上記変調された送信中間周波信号を周波数シンセサイザ１４から発生された局部発振信号とミキシングして無線搬送波周波数にアップコンバートし、さらに所定の送信電力レベルに増幅する。この送信部１５から出力された無線搬送波信号は、高周波スイッチ１２を介してアンテナ１１から図示しない基地局（ＣＳ）に向け送信される。
【００４２】
ところで、制御部５は例えばマイクロコンピュータを主制御部として備えたもので、この発明に係わる主たる機能として、通常ハンドオーバ制御手段５１と、シームレスハンドオーバ制御手段５２と、ハンドオーバ選択制御手段５３とを有している。なお、図ではハンドオーバをＨ．Ｏと略記している。
【００４３】
通常ハンドオーバ制御手段５１は、通信中の基地局（切替元の基地局）との間の通信を中断し、この状態で周辺の基地局を検索して受信電界強度（ＲＳＳＩ）の最も高い基地局を切替先として選択する。そして、この選択した基地局に対しリンクチャネル確立要求を送信して、基地局からリンクチャネルの割当てを受け、この割当てられたリンクチャネルを使用して切替先の基地局との間で所定の接続制御手順を実行したのち、接続先の基地局を切り替えるものである。
【００４４】
シームレスハンドオーバ制御手段５２は、切替元の基地局との間の通信を維持した状態で、アイドルスロット期間を使用して周辺基地局の検索を行って切替先として適当な基地局を選択する。そして、この切替先の基地局に対しリンクチャネル確立要求を送信して、基地局からリンクチャネルの割当てを受け、この割当てられたリンクチャネルを使用して切替先の基地局との間で所定の接続制御手順を実行したのち、接続先の基地局を切り替えるものである。
【００４５】
ハンドオーバ選択制御手段５３は、通信中の基地局から到来する無線搬送波信号の受信品質を、受信電界強度（ＲＳＳＩ）判定用のしきい値Ｘ１，Ｘ２及び受信誤り率（ＦＥＲ）判定用のしきい値Ｙ１，Ｙ２を用いて判定し、この判定結果と予め設定した選択テーブルとに基づいて起動すべきハンドオーバを選択し実行させる。図８は上記選択テーブルの構成の一例を示すものである。
【００４６】
次に、以上のように構成されたＰＨＳ端末のハンドオーバ動作について説明する。図２は、制御部５におけるハンドオーバ選択制御の手順と内容を示すフローチャートである。
【００４７】
通信中において制御部５は、ステップ２ａで受信電界強度（ＲＳＳＩ）を検出すると共にステップ２ｂで受信誤り率（ＦＥＲ）を検出する。そして、ステップ２ｃにおいて、このＲＳＳＩの検出値及びＦＥＲの検出値をそれぞれしきい値Ｘ１，Ｘ２及びＹ１，Ｙ２と比較することにより受信品質を判定し、その判定結果と図８に示す選択テーブルとに基づいて起動すべきハンドオーバ制御手段を決定する。
【００４８】
例えば、いまＲＳＳＩ≧Ｘ２でかつＦＥＲ＜Ｙ２であれば、受信品質は良好と判断してハンドオーバを行わない。これに対しＦＥＲ≧Ｙ１であれば、ＲＳＳＩの検出値が如何なる値だったとしても、ハンドオーバが即時必要であると判断してステップ２ｄで通常ハンドオーバ制御手段５１を選択し、ステップ２ｅで通常ハンドオーバ制御を実行させる。
【００４９】
この通常ハンドオーバ制御では、先に述べたように通信中の基地局（切替元の基地局）との間の通信を中断し、この状態で周辺の基地局を検索して受信電界強度（ＲＳＳＩ）の最も高い基地局を切替先として選択し、この選択した基地局との間でリンクチャネルを確立したのち所定の接続制御手順を実行することにより、接続先の基地局の切り替えが行われる。
【００５０】
一方、いま例えば受信品質がＸ１≦ＲＳＳＩ＜Ｘ２でかつＦＥＲ＜Ｙ２だったとする。この場合ハンドオーバ選択制御手段５３は、先ずステップ２ｆにおいてシームレスハンドオーバ制御手段５２を選択し、シームレスハンドオーバを実行させる。
【００５１】
すなわち、シームレスハンドオーバ制御手段５２は、図３に示すように通信中の基地局（切替元の基地局）との間の通信を維持した状態で、ステップ２ｇにおいて他の基地局から到来するＬＣＣＨ（Logical Control Channel）を受信することにより周辺基地局の検索を行う。このとき上記周辺基地局の検索は、アイドルスロット期間を使用して行われる。このため、アイドルスロット期間にＬＣＣＨを送信している周辺基地局が検索対象となる。例えば図７では、ＰＨＳ端末（ＰＳ）はスロットＴ１，Ｒ１を使用して通信を行っているので、このスロットＴ１，Ｒ１期間にＬＣＣＨを送信している基地局ＣＳ１４，ＣＳ１５は検索対象から外れ、それ以外のスロット期間にＬＣＣＨを送信している基地局ＣＳ１１，ＣＳ１２，ＣＳ１３が検索対象となる。
【００５２】
続いてハンドオーバ選択制御手段５３は、上記周辺基地局の検索結果をもとに、ステップ２ｈにおいて切替先として有効な周辺基地局があるか否かを判定する。ここで、上記切替先として有効か否かの判定は、周辺基地局から受信したＬＣＣＨのＲＳＳＩを、シームレスハンドオーバ用として通常ハンドオーバ用とは別に設定した切替先基地局選択レベルとレベル比較することにより行われ、ＲＳＳＩが切替先基地局選択レベルより高い周辺基地局が切替先として有効な基地局として選択される。そして、この条件を満たす周辺基地局が複数あった場合には、その中でＲＳＳＩが最大の基地局が切替先として選択される。
【００５３】
なお、上記シームレスハンドオーバ用の切替先基地局選択レベルは、例えば次のように設定される。図１２乃至図１６はそれぞれその一例を示すものである。すなわち、図１２はシームレスハンドオーバ用の切替先基地局選択レベルを、シームレスハンドオーバを起動するためのＲＳＳＩ判定レベルと同一レベルに設定したもので、図１３はシームレスハンドオーバ起動レベルよりもΔだけ高いレベルに設定したものである。また図１４は上記Δの値を、通常ハンドオーバ起動レベルに対する通常ハンドオーバ用切替先基地局選択レベルの増加分Δ１と同一値に設定したものである。さらに図１５は、シームレスハンドオーバ用の切替先基地局選択レベルとして、シームレスハンドオーバをＲＳＳＩの判定結果をもとに起動した場合に使用するレベルと、ＦＥＲの判定結果をもとに起動した場合に使用するレベルとを別々に設定したものである。図１６では、通常ハンドオーバ用切替先基地局選択レベル及びシームレスハンドオーバ用切替先基地局選択レベルを、いずれも通常ハンドオーバ起動レベル及びシームレスハンドオーバ起動レベルよりも高く設定した場合を示している。
【００５４】
以上のいずれの設定例を使用した場合でも、ＲＳＳＩがシームレスハンドオーバ起動レベルよりも低い基地局が切替先として選択される不具合は防止され、これにより常にハンドオーバ先として適切な基地局を選択することができる。
【００５５】
ちなみに、図１７に示す如くシームレスハンドオーバ用切替先基地局選択レベルを通常ハンドオーバ用切替先基地局選択レベルと兼用すると、シームレスハンドオーバ起動レベルとハンドオーバ用切替先基地局選択レベルとの間に矛盾領域が生じ、この領域ではＲＳＳＩがシームレスハンドオーバ起動レベルよりも低い基地局が切替先として選択されてしまうことになり、非常に好ましくない。
【００５６】
なお、通常ハンドオーバ用の起動レベル及び切替先基地局選択レベルは、基地局からの指示などにより変更される場合がある。これに対応するため、通常ハンドオーバ用の起動レベル及び切替先基地局選択レベルが変更された場合には、その変更設定に連動してシームレスハンドオーバ用の起動レベル及び切替先基地局選択レベルを変更設定するようにしてもよい。
【００５７】
そうして切替先として有効な基地局が見付かると、ハンドオーバ選択制御手段５３はステップ２ｉに移行してここでシームレスハンドオーバ制御を続ける。図３はその制御手順を示すシーケンス図である。なお、この制御手順ではＲＣＲ  ＳＴＤ−２８に規定される信号の授受が行われることになるため、その説明は省略する。
【００５８】
これに対し、上記周辺基地局の検索において有効な基地局が見付からなかった場合には、ハンドオーバ選択制御手段５３はステップ２ｊに移行してここでハンドオーバを中止する。図４はその制御手順を示すシーケンス図である。この場合、ＰＨＳ端末は切替元の基地局との間で引き続き通信を行うことになる。しかし、このときの受信品質判定条件は図８に示したようにＸ１≦ＲＳＳＩ＜Ｘ２でかつＦＥＲ＜Ｙ２であり、受信品質は比較的良好である。このため、ハンドオーバを中止しても通信に重大な支障が生じる心配はない。
【００５９】
一方、いま例えば受信品質がＲＳＳＩ＜Ｘ２でかつＹ２≦ＦＥＲ＜Ｙ１であるか、又はＸ１＜ＲＳＳＩでかつＦＥＲ＜Ｙ２だったとする。この場合ハンドオーバ選択制御手段５３は、ステップ２ｋに移行してここでシームレスハンドオーバ制御手段５２を選択し、シームレスハンドオーバを実行させる。このシームレスハンドオーバの制御はステップ２ｌ〜ステップ２ｎにおいて行われるが、その手順及び内容は前記ステップ２ｇ〜ステップ２ｉで述べたものと同様である。
【００６０】
ただし、ステップ２ｍで切替先として有効な基地局が見付からなかった場合には、ステップ２ｏに移行してここで通常ハンドオーバを実行する。したがって、この場合には通信が一時中断することになるが、ＰＨＳ端末はより高い確率で他の周辺基地局にハンドオーバされることになり、通信を継続することが可能となる。図５はこの場合の制御手順を示すシーケンス図である。
【００６１】
なお、受信品質の判定結果がＲＳＳＩ≧Ｘ２でかつＹ２≦ＦＥＲ＜Ｙ１だった場合には、混信を起こしている可能性が高いと判断し、制御部５はステップ２ｐにおいて同一基地局が保有する他の通信チャネル（ＴＣＨ）への切り替えを試行する。このようにすることで、混信による通信障害は解消される。図６にその制御シーケンスを示す。なお、この制御手順においてもＲＣＲ  ＳＴＤ−２８に規定される信号の授受が行われることになるため、その説明は省略する。
【００６２】
以上述べたように第１の実施形態では、切替元の基地局との間の通信を中断してハンドオーバ手順を実行する通常ハンドオーバ制御手段５１と、切替元の基地局との間の通信を維持したままハンドオーバ手順を実行するシームレスハンドオーバ制御手段５２とを両方とも備え、切替元の基地局から到来する信号の受信品質を判定して、その判定結果と予め用意した選択テーブルとをもとに上記通常ハンドオーバ制御手段５１及びシームレスハンドオーバ制御手段５２を選択的に実行させるようにしている。
【００６３】
したがって、例えば受信品質が比較的良好なときにはシームレスハンドオーバが行われるため通信の中断時間が短く高品質の通信を維持でき、かつたとえ切替先として適切な基地局が見付からなくてもそのまま切替元の基地局との間で通信に戻るか、又は通常ハンドオーバを実行することで、ハンドオーバの失敗が生じ難くなる。
【００６４】
これに対し受信品質が劣化したときには、最初からハンドオーバを成功させることを優先して通常ハンドオーバが行われるため、通信の中断時間は長くなるものの、より多くの周辺基地局の中から切替先として適切な基地局を選択できるため、高い確率でハンドオーバを成功させることができる。
【００６５】
また第１の実施形態では、受信品質を受信電界強度及び受信誤り率の両方を用いて判定し、しかも受信電界強度及び受信誤り率をそれぞれ２個のしきい値Ｘ１，Ｘ２及びＹ１，Ｙ２を用いて判定するようにしている。このため、受信品質をより細かく精密に判定することができ、この判定結果を用いることでより適切なハンドオーバを選択することができる。特に、受信品質が比較的良好な状態ではシームレスハンドオーバを積極的に選択することで、ハンドオーバの成功確率を高く保った上で通信の中断が短い高品質のハンドオーバを行うことができる。一方受信誤り率（ＦＥＲ）が著しく劣化した状態では、無条件に通常ハンドオーバを選択することで、ハンドオーバをいちはやく高い成功確率で完了することができ、これにより通信品質の劣化を速やかにかつ確実に回復することができる。
【００６６】
さらに第１の実施形態では、切替先として有効な基地局の判定のために、通常ハンドオーバ用の切替先基地局選択レベルの他にシームレスハンドオーバ用の切替先基地局選択レベルを設け、実行されたハンドオーバの種類に応じてこれらの異なる選択レベルを用いて切替先基地局を選択するようにしている。このため、受信品質が切替元基地局よりも劣化した基地局を切替先として選択してしまう不具合をなくすことができ、これにより常に適切な基地局を選択することが可能となる。
【００６７】
なお、以上述べた第１の実施形態には次のような各種変形例が考えられる。例えば、ハンドオーバの種類を選択するための選択テーブルは、図８以外に図９乃至図１１に示すように構成することができる。
【００６８】
図９に示すものは、受信品質の判定をＲＳＳＩ及びＦＥＲの両方を組み合わせて行う点については図８に示したものと同様であるが、シームレスハンドオーバを失敗した場合にハンドオーバを中止する領域と、シームレスハンドオーバを失敗した場合に通常ハンドオーバを実行する領域を、図８と異ならせている。
【００６９】
図１０に示すものは、受信品質の判定をＲＳＳＩのみにより行う場合に使用するもので、この例では２個のしきい値Ｘ１，Ｘ２を用い、ＲＳＳＩ検出値がしきい値Ｘ２以上のときにはハンドオーバを行わず、ＲＳＳＩ検出値がしきい値Ｘ２未満でかつＸ１以上のときにはシームレスハンドオーバを実行してこれに失敗した場合にはハンドオーバを中止する。また、ＲＳＳＩ検出値がしきい値Ｘ１未満に低下したときには、先ずシームレスハンドオーバを試行してこれに失敗したならば通常ハンドオーバを実行する。
【００７０】
図１１に示すものは、受信品質の判定をＦＥＲのみにより行う場合に使用するもので、この例では２個のしきい値Ｙ１，Ｙ２を用い、ＦＥＲ検出値がしきい値Ｙ２以上のときにはハンドオーバを行わず、ＦＥＲ検出値がしきい値Ｙ２未満でかつＹ１以上のときにはシームレスハンドオーバを実行してこれに失敗した場合にはハンドオーバを中止する。また、ＦＥＲ検出値がしきい値Ｙ１未満に悪化したときには、無条件に通常ハンドオーバを実行する。
【００７１】
なお、本実施形態に係わるＰＨＳ端末（ＰＳ）において、シームレスハンドオーバを実現するには通信中に他の周波数のチャネルサーチを行うため、周波数シンセサイザ１４は少なくとも２種類の周波数を切り替えて設定できるように構成される。
【００７２】
さらに、本実施形態では、移動通信端末の構成は無線部が一つであることが適切であり、一つの無線部で通常ハンドオーバ制御手段とシームレスハンドオーバ制御手段とを選択的に実行させることができるものである。
【００７３】
その他、通常ハンドオーバ及びシームレスハンドオーバを起動するための受信品質判定レベルは２個に限らず３個以上或いは１個でもよく、また切替先基地局選択レベルの値についても種々の値に設定可能である。さらに、ハンドオーバ選択制御の手順と内容等についても種々変形が可能である。
【００７４】
（第２の実施形態）
この発明に係わる第２の実施形態は、シームレスハンドオーバの実行中において、切替先として選択した基地局から割り当てられた通信チャネルが、切替元の基地局との間で使用中の通信チャネルと同じスロットを使用するものだった場合に、その時点での切替元基地局からの受信品質をもとに、切替元基地局との間の通信を中断して上記切替先基地局から割り当てられた通信チャネルにより無線リンクを接続するための第１の接続手順を実行するか、又は切替先基地局に対し通信チャネルの再割当てを要求する第２の接続手順を実行するかを選択するようにしたものである。
【００７５】
図１８は、この第２の実施形態に係わるＰＨＳ端末の構成を示す回路ブロック図である。なお、同図において前記図１と同一部分には同一符号を付して詳しい説明は省略する。
【００７６】
制御部５′には、この発明に係わる主制御機能して、上記第１の接続手順を実行する第１の接続制御手段５４と、上記第２の接続手順を実行する第２の接続制御手段５５と、接続手順選択制御手段５６とが設けられている。
【００７７】
第１の接続制御手段５４は、シームレスハンドオーバの実行中に、切替先として選択した基地局から割り当てられた通信チャネルが、切替元の基地局との間で使用中の通信チャネルと同じスロットを使用するものだった場合に、その時点で切替元基地局との間の通信を中断して上記切替先基地局から割り当てられた通信チャネルにより無線リンクを接続する手順を実行する。
【００７８】
第２の接続制御手段５５は、シームレスハンドオーバの実行中に、切替先として選択した基地局から割り当てられた通信チャネルが、切替元の基地局との間で使用中の通信チャネルと同じスロットを使用するものだった場合に、切替先の基地局に対し通信チャネルの再割当てを要求して他のスロットを使用する通信チャネルの割り当てを受ける手順を実行する。
【００７９】
接続手順選択制御手段５６は、シームレスハンドオーバの実行中に、切替先として選択した基地局から割り当てられた通信チャネルが、切替元の基地局との間で使用中の通信チャネルと同じスロットを使用するものだった場合に、その時点での切替元基地局からの受信品質を判定し、受信品質が所定レベル以上ならば第２の接続制御手段５５を選択し実行させ、一方受信品質が上記所定レベルに満たない場合には第１の接続制御手段５４を選択し実行させるものである。
【００８０】
次に、以上のように構成されたＰＨＳ端末におけるシームレスハンドオーバのの動作を説明する。図１９及び図２０はその制御手順と制御内容を示すフローチャートである。
【００８１】
例えば、前記第１の実施形態で述べたハンドオーバ選択制御手段５３によりシームレスハンドオーバが選択されると、制御部５′はステップ１９ａで切替元の基地局との間の通信を維持した状態で、ステップ１９ｂにより周辺基地局の検索処理を行い、その検索結果をもとに切替先として有効な基地局があるか否かを判定する。なお、上記周辺基地局の検索は、前記第１の実施形態で述べた場合と同様に、アイドルスロット期間を利用して周辺基地局から到来するＬＣＣＨのＲＳＳＩを検出し、このＲＳＳＩの検出値をシームレスハンドオーバ用に設定した切替先基地局選択レベルと比較することによりなされる。
【００８２】
上記周辺基地局の検索の結果、有効な基地局が見付からなかった場合には、ステップ１９ｄで切替元の基地局との間の通信を中断して通常ハンドオーバ制御を実行する。なお、通常ハンドオーバ制御を実行せずにハンドオーバを中止して、切替元の基地局との間の通信を継続するようにしてもよい。
【００８３】
一方、上記周辺基地局の検索処理によって有効な基地局が見付かったとする。そうすると制御部５′は、ステップ１９ｅにおいて現時点での切替元基地局からの受信品質は良好であるか否かを判定する。この判定は、切替元基地局から到来する無線信号のＲＳＳＩ及びＦＥＲの少なくとも一方を、予め設定したしきい値と比較することによりなされる。そして、受信品質がしきい値以上の比較的良好な状態を保持しているときには第２の接続制御手順を選択して以下のように実行させる。
【００８４】
すなわち、第２の接続制御手順が選択されると制御部５′は、ステップ１９ｆで切替元の基地局との間の通信を引き続き維持した状態で、切替先として選択した基地局に対しリンクチャネル確立要求を送信して、当該基地局からリンクチャネルの割当てを受ける。そして、この割り当てられた通信チャネル（ＴＣＨ）が、切替元基地局との間で使用中の通信チャネルと同一スロットを使用するものか否かをステップ１９ｈで判定する。
【００８５】
この判定の結果、例えば図２１に示す基地局ＣＳ１１，ＣＳ１２，ＣＳ１３のように、割り当てられた通信チャネルが他のスロットを使用するものだった場合には、制御部５′は切替元基地局との間の通信を維持したまま無線リンク接続手順の実行が可能であると判断して、図２０のステップ２０ｃに移行する。そして、上記割り当てられた通信チャネルにより無線リンクを接続するための処理を実行し、これにより切替先の基地局との間に無線リンクが形成されると、図３に示した接続制御手順を実行したのちステップ２０ｄで切替元の基地局との間の通信チャネルを解放する。かくしてハンドオーバは完了し、以後ＰＨＳ端末は切替先の基地局との間で通信を継続できる。
【００８６】
これに対し上記判定の結果、図２１に示す基地局ＣＳ１４のように、割り当てられた通信チャネルが切替元の基地局との間で使用中の通信チャネルと同一スロットを使用するものだったとする。この場合制御部５′は、ステップ１９ｊにおいて切替先基地局に対し通信チャネルの再割当要求を送信する。そして、この要求に対し切替先基地局から別の通信チャネルが割り当てられると、制御部５′はこの再度割り当てられた通信チャネルが、切替元基地局との間で使用中の通信チャネルと同一スロットを使用するものか否かをステップ１９ｈで判定する。そして、割り当てられた通信チャネルが他のスロットを使用するものだった場合には、先に述べたようにステップ２０ｃに移行して、この割り当てられた通信チャネルによる無線リンクの接続手順を実行する。
【００８７】
しかし、上記通信チャネルの再割当要求に対しても、切替元基地局との間で使用中の通信チャネルと同一スロットを使用する通信チャネルしか割り当てられなかった場合には、制御部５′は再々度通信チャネルの割当要求を送出し、通信チャネルの割り当てを受ける。以後、切替先の基地局から他のスロットを使用する通信チャネルが割り当てられるまで、上記通信チャネルの割当要求手順を繰り返す。
【００８８】
ただし、上記通信チャネルの再割当要求手順の繰り返し回数（リトライ回数）はステップ１９ｋでカウントされており、このリトライ回数が３回を超えると、制御部５′はリトライを諦めてステップ１９ｉからステップ２０ｅに移行する。そして、このステップ２０ｅで切替元基地局との間の通信を中断したのち、上記切替先基地局から割り当てられた通信チャネルにより無線リンクを接続するための手順をステップ２０ｆで実行する。そして、切替先基地局との間に通信リンクが形成されると、ステップ２０ｇで切替元基地局との間の通信リンクを解放して、以後切替先基地局との間に形成した無線リンクを介して通信を継続する。
【００８９】
また制御部５′は、上記通信チャネルの再割当要求手順を繰り返す際に、ステップ１９ｇで切替元基地局からの受信品質が所定レベルを保持しているか否かを判定する。そして、受信品質が所定レベル以上を保持していれば上記通信チャネルの再割当要求手順を実行する。これに対し、受信品質が所定レベル未満に低下した場合には、制御部５′はステップ１９ｇからステップ２０ｅに移行し、以後前記リトライ回数が３回を超えた場合と同じ手順を実行する。
【００９０】
一方、前記ステップ１９ｅにおいて、切替元基地局からの受信品質がしきい値未満に低下したと判定された場合には、制御部５′は早急にハンドオーバを完了する必要があると判断して第１の接続制御手順を選択し、以下のように実行させる。
【００９１】
すなわち、受信品質の劣化を検出すると制御部５′は、ステップ１９ｅからステップ２０ａに移行する。そして、切替元基地局との間の通信を引き続き維持した状態で、切替先として選択した基地局に対しリンクチャネル確立要求を送信して、当該基地局からリンクチャネルの割り当てを受ける。そして、この割り当てられた通信チャネル（ＴＣＨ）が、切替元基地局との間で使用中の通信チャネルと同一スロットを使用するものか否かをステップ２０ｂで判定する。
【００９２】
この判定の結果、割り当てられた通信チャネルが他のスロットを使用するものだった場合には、制御部５′はステップ２０ｃに移行して、上記割り当てられた通信チャネルにより無線リンクを接続するための処理を実行する。そして、切替先の基地局との間に無線リンクが形成されると、図３に示した接続制御手順を実行したのち、ステップ２０ｄで切替元の基地局との間の通信チャネルを解放する。かくしてハンドオーバは完了し、以後ＰＨＳ端末は切替先の基地局との間で通信を継続できる。
【００９３】
これに対し上記判定の結果、割り当てられた通信チャネルが切替元の基地局との間で使用中の通信チャネルと同一スロットを使用するものだったとする。この場合制御部５′は、通信チャネルの再割当要求手順を行わずに、ステップ２０ｅに移行してここで切替元基地局との間の通信を即時中断したのち、上記切替先基地局から割り当てられた通信チャネルにより無線リンクを接続するための手順をステップ２０ｆで実行する。そして、切替先基地局との間に通信リンクが形成されると、ステップ２０ｇで切替元基地局との間の通信リンクを解放して、以後切替先基地局との間に形成した無線リンクを介して通信を継続する。
【００９４】
以上のように第２の実施形態では、シームレスハンドオーバの実行中において、切替先として選択した基地局から割り当てられた通信チャネルが、切替元の基地局との間で使用中の通信チャネルと同じスロットを使用するものだった場合に、その時点での切替元基地局からの受信品質が所定レベル以上を保持しているか否かを判定する。そして、受信品質が所定レベル以上を保持している場合には、第２の接続制御手順を選択し、切替元基地局との間の通信を維持した状態で切替先基地局に対し通信チャネルの再割当要求を行ってこれにより割り当てられた通信チャネルにより無線リンクの接続を行う。これに対し、受信品質が所定レベル未満に劣化した場合には、第１の接続制御手順を選択し、切替元基地局との間の通信を中断して上記切替先基地局から割り当てられた通信チャネルにより無線リンクを接続するため手順を実行するようにしている。
【００９５】
したがって、切替元基地局からの受信品質が比較的良好なときには、切替先基地局に対する通信チャネルの再割当手順が実行され、これにより他のスロットを使用する通信チャネルが割り当てられるのを待って、無線リンクの接続制御手順が行われるので、ハンドオーバ期間中に切替元基地局との間の通信が中断することはなく、この結果通信品質が高品質に保持される。すなわち、切替元の基地局との間の通信をできる限り維持したまま高品質のハンドオーバを行うことができる。
【００９６】
一方、切替元基地局からの受信品質が劣化した場合には、切替元基地局との間の通信が中断されて、上記切替先の基地局から割り当てられた通信チャネルによる無線リンクが形成される。このため、速く確実にハンドオーバを完了することができる。
【００９７】
なお、この発明は上記実施形態に限定されるものではない。例えば、前記各実施形態ではＰＨＳ端末がハンドオーバを起動する場合を例にとって説明したが、基地局からの指示に従いハンドオーバを起動する場合もある。この場合には、先ずシームレスハンドオーバを実行し、これが失敗した場合に通常ハンドオーバを実行するように制御するとよい。ただし、基地局からの受信品質が著しく劣化していてシームレスハンドオーバを実行する意味がない場合には、シームレスハンドオーバを選択せずに即時通常ハンドオーバを選択し実行させるようにするとよい。
【００９８】
また、第２の実施形態で述べた第１及び第２の接続制御を選択的に実行させる機能を、第１の実施形態で述べたシームレスハンドオーバ制御手順に適用してもよい。
【００９９】
さらに、前記各実施形態ではＰＨＳ端末を例にとって説明したが、無線アクセス方式としてＴＤＭＡ方式を採用したセルラ移動通信システムで使用される移動通信端末装置であれば、ＰＤＣ（Personal Digital Cellular）やＧＳＭ（Global System for Mobile Communication）等のその他のセルラ移動通信システムで使用される端末装置にもこの発明を適用することができる。
【０１００】
その他、移動通信端末装置末の回路構成や、ハンドオーバ選択制御及び接続手順選択制御の手順と内容、受信品質判定レベル（ハンドオーバ起動レベル）の設定値等についても、この発明の要旨を逸脱しない範囲で種々変形して実施できる。
【０１０１】
【発明の効果】
以上詳述したように第１の発明では、ハンドオーバ手順として、切替元の基地局との間の通信を中断した状態で切替先の基地局を選択して当該基地局との間で所定の接続制御手順を実行したのち接続先の基地局を切り替える第１のハンドオーバ制御手段と、切替元の基地局との間の通信を維持した状態で、自端末に割り当てられるスロット以外の期間を使用して、切替先の基地局を選択し当該基地局との間で所定の接続制御手順を実行したのち接続先の基地局を切り替える第２のハンドオーバ制御手段とを備えた移動通信端末装置にあって、接続先の基地局から到来する無線信号の受信品質を検出する受信品質検出手段と、ハンドオーバ選択手段とを備え、接続先の基地局をハンドオーバにより切り替える場合に、上記ハンドオーバ選択手段により、上記受信品質検出手段で検出された受信品質に基づいて、上記第１のハンドオーバと上記第２のハンドオーバとを選択的に実行させるようにしている。
【０１０２】
したがって第１の発明によれば、例えば受信品質が比較的良好なときには通信品質を優先して第２のハンドオーバを選択し実行させることができ、これに対し受信品質が劣化したときにはハンドオーバを成功させることを優先して第１のハンドオーバを選択し実行させることができる。すなわち、通常の第１のハンドオーバとシームレスな第２のハンドオーバとを効果的に使い分けることが可能となり、これにより通信品質の向上とハンドオーバ成功確率の増加との両立を図った移動通信端末装置を提供することができる。
【０１０３】
一方、第２の発明では、シームレスハンドオーバ手順を備えた移動通信端末装置にあって、切替先の基地局から切替元の基地局との間で使用している通信チャネルと同一スロットを使用する通信チャネルが割り当てられた場合に実行する接続制御手段として、切替元の基地局との間の通信を中断して上記切替先の基地局から割当てられた通信チャネルを使用して上記接続制御手順を実行する第１の接続制御手段と、切替元の基地局との間の通信を維持した状態で上記切替先の基地局に対し通信チャネルの再割当てを要求し、この要求に対し切替先の基地局から異なるスロットを使用する通信チャネルが割当てられた場合に当該通信チャネルを使用して上記接続制御手順を実行する第２の接続制御手段とを備えている。
【０１０４】
そして、上記接続制御手順を実行する際に、切替元の基地局から到来する無線信号の受信品質の検出結果に基づいて、上記第１の制御手段と第２の制御手段とを選択的に実行させるようにしている。
【０１０５】
したがって第２の発明によれば、シームレスハンドオーバの実行中に切替先の基地局から切替元の基地局との間で使用中の通信チャネルと同一スロットを使用する通信チャネルが割り当てられた場合に、その時の受信品質に応じて最適な無線接続手順を選択し実行することができ、これにより通信品質の維持とハンドオーバの成功の両立を図った移動通信端末装置を提供することができる。
【０１０６】
また第３の発明では、第１のハンドオーバ制御手段が、第１の受信品質判定レベル以上でかつ第２の受信品質判定レベルより低く設定された第１の基地局選択レベルを有する場合に、上記第２のハンドオーバ制御手段において、上記第２の受信品質判定レベル以上に設定された第２の基地局選択レベルを備え、受信品質がこの第２の基地局選択レベルを超える基地局を切替先の基地局として選択するようにしている。
【０１０７】
したがって第３の発明によれば、第２のハンドオーバにおいて、切替元の基地局よりも受信品質が劣化した基地局が切替先として選択される不具合は防止され、これにより常に受信品質の良好な基地局に対しハンドオーバをすることが可能な移動通信端末装置を提供することができる。
【図面の簡単な説明】
【図１】  この発明の第１の実施形態に係わるＰＨＳ端末の構成を示す回路ブロック図。
【図２】  図１に示したＰＨＳ端末によるハンドオーバ選択制御の手順と内容を示すフローチャート。
【図３】  シームレスハンドオーバの手順を示すシーケンス図。
【図４】  シームレスハンドオーバ手順の実行中にハンドオーバを中止した場合の手順を示すシーケンス図。
【図５】  シームレスハンドオーバ手順の実行中に通常ハンドオーバ手順に移行した場合の手順を示すシーケンス図。
【図６】  同一基地局との間で通信チャネルの切替えを行う場合の手順を示すシーケンス図。
【図７】  シームレスハンドオーバ実行中における周辺基地局の検索動作を説明するための図。
【図８】  ハンドオーバの種類を選択するために使用する選択テーブルの第１の構成を示す図。
【図９】  ハンドオーバの種類を選択するために使用する選択テーブルの第２の構成を示す図。
【図１０】  ハンドオーバの種類を選択するために使用する選択テーブルの第３の構成を示す図。
【図１１】  ハンドオーバの種類を選択するために使用する選択テーブルの第４の構成を示す図。
【図１２】  切替先基地局選択レベルの第１の設定例を示す図。
【図１３】  切替先基地局選択レベルの第２の設定例を示す図。
【図１４】  切替先基地局選択レベルの第３の設定例を示す図。
【図１５】  切替先基地局選択レベルの第４の設定例を示す図。
【図１６】  切替先基地局選択レベルの第５の設定例を示す図。
【図１７】  切替先基地局選択レベルの従来の設定例を示す図。
【図１８】  この発明の第２の実施形態に係わるＰＨＳ端末の構成を示す回路ブロック図。
【図１９】  図１８に示したＰＨＳ端末におけるシームレスハンドオーバ制御手順の前半部分を示すフローチャート。
【図２０】  図１８に示したＰＨＳ端末におけるシームレスハンドオーバ制御手順の後半部分を示すフローチャート。
【図２１】  切替先基地局から割り当てられる通信チャネルの一例を示す図。
【符号の説明】
１…無線部
２…モデム部
３…ＴＤＭＡ部
４…通話部
５，５′…制御部
６…情報記憶部
７…データ通信部
８…入力部
９…表示部
１１…アンテナ
１２…高周波スイッチ（ＳＷ）
１３…受信部
１４…シンセサイザ
１５…送信部
１６…受信電界強度検出部
２１…復調部
２２…変調部
３１…ＴＤＭＡデコード部
３２…ＴＤＭＡエンコード部
４１…ＡＤＰＣＭトランスコーダ
４２…ＰＣＭコーデック
４３…スピーカ
４４…マイクロホン
５１…通常ハンドオーバ制御手段
５２…シームレスハンドオーバ制御手段
５３…ハンドオーバ選択制御手段
５４…第１の接続制御手段
５５…第２の接続制御手段
５６…接続手順選択制御手段
【図１】
0004256022.tif 000002
【図２】
0004256022.tif 000003
【図３】
0004256022.tif 000004
【図４】
0004256022.tif 000005
【図５】
0004256022.tif 000006
【図６】
0004256022.tif 000007
【図７】
0004256022.tif 000008
【図８】
0004256022.tif 000009
【図９】
0004256022.tif 000010
【図１０】
0004256022.tif 000011
【図１１】
0004256022.tif 000012
【図１２】
0004256022.tif 000013
【図１３】
0004256022.tif 000014
【図１４】
0004256022.tif 000015
【図１５】
0004256022.tif 000016
【図１６】
0004256022.tif 000017
【図１７】
0004256022.tif 000018
【図１８】
0004256022.tif 000019
【図１９】
0004256022.tif 000020
【図２０】
0004256022.tif 000021
【図２１】
0004256022.tif 000022